(57)【要約】【課題】プリーツフィルタを容易かつ確実に掃除できる電気掃除機を提供する。【解決手段】電動送風機の駆動により空気とともに吸い込んだ塵埃を捕集するプリーツフィルタ５６を設ける。掃除機本体２の走行に従い床面と接触して回転する走行輪３６を設ける。走行輪３６の回転に連動してプリーツフィルタ５６を掃除する掃除手段４５を設ける。掃除機本体２の走行時に掃除手段４５が確実に動作し、プリーツフィルタ５６を容易かつ確実に掃除できる。【選択図】        図１
2004351148.tif 000002
【特許請求の範囲】
【請求項１】
電動送風機を収容し、被掃除面を走行可能な掃除機本体と、
この掃除機本体に設けられ、前記電動送風機の駆動により空気とともに吸い込まれる塵埃を捕集するフィルタと、
前記掃除機本体の走行に従い被掃除面と接触して回転する回転体と、
この回転体の回転に連動して前記フィルタを掃除する掃除手段と
を具備したことを特徴とした電気掃除機。
【請求項２】
掃除機本体に回動自在に設けられ、空気を塵埃とともに吸い込む吸込口体と、
この吸込口体に設けられた前記回転体としての車輪と、
この車輪の回転に従動して回転し、前記掃除機本体と前記吸込口体との回動軸となる回転伝達手段と
を具備したことを特徴とした請求項１記載の電気掃除機。
【請求項３】
回転伝達手段は、車輪の回転軸と軸心を一致させたウォームギヤである
ことを特徴とした請求項２記載の電気掃除機。
【請求項４】
回転体としての車輪は、吸込口体の後部に設けられている
ことを特徴とした請求項２または３記載の電気掃除機。
【発明の詳細な説明】
【０００１】
【発明の属する技術分野】
本発明は、フィルタを備えた電気掃除機に関する。
【０００２】
【従来の技術】
従来、この種の電気掃除機は、電動送風機を下向きに収容した略円柱状の掃除機本体を備えている。この掃除機本体内の電動送風機の下方には、電動送風機の吸込側に連通した集塵室が設けられている。この集塵室の上部には、電動送風機の吸込側との間にフィルタが取り付けられている。また集塵室内には、フィルタの下面に当接する掃除手段としてのブラシ台が回動可能に設けられている。このブラシ台の下部には、掃除機本体の中心軸に沿って軸部が突設されている。この軸部は、先端側が掃除機本体の下部から掃除機本体の外部に突出している。さらに、この軸部の先端側には、掃除機本体を被掃除面としての床面上で走行可能にする台車部が床面の面方向に沿って旋回可能に設けられている。この台車部は、床面に接触して回転する車輪を複数備えている。これら車輪は、掃除機本体をバランスよく支持する位置に取り付けられている。そして、この電気掃除機は、掃除機本体の移動により台車部が床面の面方向に沿って旋回することで、軸部を介してブラシ台が回動し、このブラシ台によりフィルタの下面に付着した塵埃を掃除する（例えば、特許文献１参照。）。
【０００３】
【特許文献１】
実公昭６３−１９０１１号公報（第２頁、第１図）
【０００４】
【発明が解決しようとする課題】
しかしながら、上述の電気掃除機では、掃除機本体の移動方向によっては台車部が床面の面方向に沿って旋回しないことがあるため、フィルタの掃除が確実でないという問題点を有している。
【０００５】
本発明はこのような点に鑑みなされたもので、フィルタを容易かつ確実に掃除できる電気掃除機を提供することを目的とする。
【０００６】
【課題を解決するための手段】
本発明は、電動送風機の駆動により空気とともに吸い込まれる塵埃を捕集するフィルタと、掃除機本体の走行に従い被掃除面と接触して回転する回転体と、この回転体の回転に連動してフィルタを掃除する掃除手段とを具備したものである。そして、掃除機本体の走行に従って回転する回転体の回転に、フィルタを掃除する掃除手段を連動させることで、掃除機本体の走行時に掃除手段が確実に動作し、フィルタを容易かつ確実に掃除できる。
【０００７】
【発明の実施の形態】
以下、本発明の一実施の形態の電気掃除機の構成を図１ないし図５を参照して説明する。
【０００８】
図１ないし図５において、１は電気掃除機で、この電気掃除機１は、いわゆるアップライト型すなわちスティック型の掃除機である。また、この電気掃除機１は、掃除機本体２を備えており、この掃除機本体２は、電動送風機３を収容した中空なモータケース部４と、このモータケース部４と一体に設けられた中空なケース部５とを有している。
【０００９】
モータケース部４内には、図２および図３に示すように、電動送風機３が吸込側を一端側である下端側に向けた状態で収容されている。また、モータケース部４の内部における電動送風機３の上端側には、電動送風機３へと電力を供給させるコード６を巻回したコードリール部７が回転可能に収容されている。また、図４に示すように、コード６の先端部には、図示しない外部電源接続口としてのコンセント部に接続されるプラグ部８が取り付けられている。
【００１０】
そして、モータケース部４の周面部には、このモータケース部４の内部からプラグ部８およびコード６を外部へと引き出し可能および巻取り可能に導出させる略矩形状のコード口１１が開口されている。さらに、モータケース部４の周面部には、図１および図５に示すように、押すことによりコードリール部７を回転させて、外部に導出されたコード６を巻き取るコード巻取ボタン１２が突設されている。
【００１１】
また、モータケース部４の長手方向における一端面である上端面には、図２ないし図５に示すように、取手部１３が、このモータケース部４の前側の側面部からケース部５に亘って一体的に設けられている。
【００１２】
さらに、モータケース部４の下方かつケース部５の前側には、図１に示すように、後述する集塵部としての集塵カップ１４が着脱可能に取り付けられている。
【００１３】
ケース部５は、図１ないし図５に示すように、細長略角筒状に形成され、モータケース部４の後側にこのモータケース部４と一体に設けられている。ここで、モータケース部４は、ケース部５の上下方向の略中心域に設けられている。また、ケース部５の上端面には、このケース部５の軸方向に対して、このケース部５の後側に向けて折り曲げ可能な細長略棒状のハンドル体１５が突設されている。
【００１４】
このハンドル体１５は、図４に示すように、下端面に爪状のクランプ部２１が移動可能に突出して設けられている。このクランプ部２１は、ハンドル体１５を回動させて、このハンドル体１５の下端面をケース部５の上端面に当接させた際に、このケース部５の上端面に設けられたクランプ受部２２に係脱可能に係合して、ハンドル体１５をケース部５の上端面に固定させる。
【００１５】
さらに、ハンドル体１５には、図４および図５に示すように、ケース部５のクランプ受部２２に対するクランプ部２１による係合を解除させるクランプ操作ボタン２３が突設されている。このクランプ操作ボタン２３は、このクランプ操作ボタン２３を押すことにより、クランプ部２１の先端部に設けられた爪部２４を移動させて、この爪部２４によるクランプ受部２２への係合を解除させて、ケース部５に対してハンドル体１５を回動可能、すなわち折り曲げ可能にする。
【００１６】
そして、ハンドル体１５は、先端に向けて徐々に細くなる先細状に形成されており、このハンドル体１５の先端部には、このハンドル体１５の長手方向に対してこのハンドル体１５の後方に向けて屈曲した長手方向を有する細長略棒状の手許操作部２５が一体的に設けられている。この手許操作部２５は、使用者が把持してハンドル体１５を容易に操作できるような形状に形成されている。また、ハンドル体１５の前側には、電動送風機３の駆動をオンオフさせる操作スイッチ２６が取り付けられている。
【００１７】
一方、ケース部５の下端部には、図１ないし図３に示すように、角筒状の連結部３１が下方に向けて突設され、この連結部３１には、吸込口体としての床ブラシ３２が、ケース部５に対して上下方向に回動自在に取り付けられている。そして、ケース部５の前側面におけるモータケース部４の下方に位置した部分には、正面視四角形状の開口部３３がケース部５の前側に向けて開口して設けられている。
【００１８】
床ブラシ３２は、内部が中空な平面視略Ｔ字状のブラシケース３４を備えている。このブラシケース３４の床面と対向する下端面には、電動送風機３の駆動により被掃除面としての床面の塵埃を空気とともに吸い込む長穴状の吸込口３５が開口されている。この吸込口３５は、ブラシケース３４の前側、すなわちケース部５側と反対側に偏位して設けられている。また、この吸込口３５の内部には、床面に入り込んだ塵埃を回転にて掻き出す図示しない回転清掃体が回転可能に取り付けられている。
【００１９】
さらに、このブラシケース３４の後部である幅細な基端部のケース部５側の両側面には、モータケース部４側を前側、ケース部５側を後側として掃除機本体２を床面に対して走行可能にする回転体としての車輪である走行輪３６がブラシケース３４の幅方向に直交する前後方向に沿って回転可能にそれぞれ取り付けられている。これら走行輪３６は、回転軸３６ａが掃除機本体２と床ブラシ３２との回動軸心に同軸状に設けられており、掃除機本体２の走行に従い床面と接触して回転する。
【００２０】
そして、床ブラシ３２のブラシケース３４の後部の走行輪３６の間には、略四角形状に切り欠き形成された空間部である切欠部３７が設けられている。この切欠部３７は、連結部３１の外形に対応した形状に設けられ、この連結部３１が嵌合可能となっている。
【００２１】
また、切欠部３７内の上下方向の略中心域には、回転伝達手段としての細長円柱状のウォームギヤ４１が取り付けられている。このウォームギヤ４１は、掃除機本体２の幅方向に軸方向を沿わせた状態で設けられ、走行輪３６に同軸状、すなわち走行輪３６の回転軸３６ａと軸心を一致させた状態に固定されている。すなわち、ウォームギヤ４１は、掃除機本体２と床ブラシ３２との回動軸心に位置している。言い換えると、ウォームギヤ４１は、掃除機本体２と床ブラシ３２との回動軸となっている。
【００２２】
さらに、このウォームギヤ４１は、走行輪３６に連結され、これら走行輪３６の回転に伴い周方向に回転する。またさらに、ウォームギヤ４１は、切欠部３７を幅方向に横断し、この切欠部３７からブラシケース３４の外部に露出している。そして、ウォームギヤ４１は、連結部３１を幅方向に貫通して設けられた円形状の挿通孔部４２内に回動可能に挿通されることで、図２および図３に示すように、掃除機本体２のケース部５に対して床ブラシ３２が回動可能に連結されている。すなわち、ウォームギヤ４１は、掃除機本体２のケース部５と床ブラシ３２とを互いに連結した状態で連結部３１内に位置している。
【００２３】
また、ウォームギヤ４１の上部には、図１ないし図３に示すように、掃除機本体２のケース部５と床ブラシ３２とを互いに連結した状態で駆動伝達手段としての円盤状のギヤ４３が歯合する。このギヤ４３は、掃除機本体２の前後方向に沿って回転軸４３ａを有し、この回転軸４３ａは、ケース部５内に回動可能に軸支されている。さらに、ギヤ４３は、例えばはすば歯車であり、平面視で軸方向に対して傾斜した外周ギヤ部４３ｂを外周面に有している。この外周ギヤ部４３ｂは、掃除機本体２のケース部５と床ブラシ３２とを互いに連結した状態で、下端部が連結部３１内に位置してウォームギヤ４１の上部に歯合する。このため、ギヤ４３は、ウォームギヤ４１の回転により周方向に沿って回動する。また、ギヤ４３は、回転軸４３ａよりも若干下側の位置から上側の全体の部分が開口部３３に対向し、この開口部３３からケース部５の外部に露出している。そして、ギヤ４３の前後方向の中心を通る中心線は、ウォームギヤ４１の断面中心である中心軸と略直交している。
【００２４】
さらに、ギヤ４３の上部には、掃除手段４５が設けられている。この掃除手段４５は、ギヤ４３の上部の外周ギヤ部４３ｂに歯合する円盤状の回転体である回転ギヤ４６と、この回転ギヤ４６の前側面に設けられた掃除体としてのばね体である突起４７とを備えている。
【００２５】
回転ギヤ４６は、掃除機本体２の前後方向に沿って、すなわちギヤ４３の回転軸４３ａに略平行に回転軸４６ａを有し、この回転軸４６ａは、ケース部５内に回動可能に軸支されている。また、回転ギヤ４６は、例えばはすば歯車であり、平面視で軸方向に対して傾斜したギヤ部４６ｂを外周面に有している。このギヤ部４６ｂは、下端部が連結部３１内に位置してギヤ４３の上部に歯合する。このため、回転ギヤ４６は、ウォームギヤ４１の回転により回転するギヤ４３の回転にて、周方向に沿って回転する。さらに、回転ギヤ４６は、全体が開口部３３に対向し、この開口部３３からケース部５の外部に露出している。そして、回転ギヤ４６は、前後方向の中心が、ギヤ４３の前後方向の中心と略同一直線状に位置し、この回転ギヤ４６の前後方向の中心を通る中心線は、ウォームギヤ４１の中心軸と略直交している。
【００２６】
またさらに、回転ギヤ４６には、回転軸４６ａの周囲に複数、例えば６つの貫通孔５１が前後方向に貫通して設けられている。これら貫通孔５１は、例えば回転ギヤ４６の回転軸４６ａに向けて幅狭となる略扇形状に形成され、回転ギヤ４６の周方向に略等角度の間隔で互いに離間されて設けられている。したがって、回転ギヤ４６の各貫通孔５１の間には、回転ギヤ４６の径方向に沿って細長矩形状の複数、例えば６つのリブ５２がそれぞれ設けられている。これらリブ５２には、例えば回転ギヤ４６の周方向に沿って一つ置き、すなわち３箇所に、突起４７が複数、例えば２つずつ、計６つ設けられている。また、各貫通孔５１には、塵埃を捕集するメッシュフィルタ５３が、これら貫通孔５１全体を閉塞してそれぞれ取り付けられている。
【００２７】
突起４７は、回転ギヤ４６の前方に水平に突出し、開口部３３からケース部５の外部に突出している。これら突起４７は、例えばコイルスプリングなどにて前後方向に付勢されており、後述する集塵カップ１４のプリーツフィルタ５６のケース部５側の側面に浅く係合している。
【００２８】
さらに、床ブラシ３２のブラシケース３４の上部には、吸込口３５に連通した可撓性を有する蛇腹状のホース部５４が突設されている。このホース部５４は、ブラシケース３４の幅方向の一側部に偏位して設けられ、集塵カップ１４の側部に気密な状態で着脱可能に連通接続されている。
【００２９】
そして、集塵カップ１４は、カップ本体５５と、フィルタとしてのプリーツフィルタ５６とを備えている。
【００３０】
カップ本体５５は、下方に向けて縮径された略有底円筒状に設けられ、後部が幅方向に直線状に設けられている。このカップ本体５５の後部には、略矩形状のカップ開口部６１が開口形成されている。このカップ開口部６１は、集塵カップ１４を掃除機本体２のケース部５に取り付けた状態で開口部３３に気密な状態で連通する。また、カップ本体５５の側部には、ホース部５４の先端部が着脱可能に連通接続される穴部としてのカップ吸込口６２が貫通して設けられている。さらに、カップ本体５５の下側の側部には、図４に示すように、集塵カップ１４を掃除機本体２に対して着脱可能にするカップボタン６３が設けられている。
【００３１】
プリーツフィルタ５６は、電動送風機３の駆動により床ブラシ３２の吸込口３５から空気とともに吸い込まれた塵埃を捕集するもので、図１ないし図３に示すように、掃除機本体２の幅方向に沿って前後方向に交互に湾曲したいわゆるプリーツ状に設けられている。また、このプリーツフィルタ５６は、カップ本体５５のカップ開口部６１全体を閉塞するようにこのカップ開口部６１に着脱可能に取り付けられ、集塵カップ１４を掃除機本体２に取り付けた状態でカップ開口部６１から開口部３３に臨む。
【００３２】
そして、ケース部５の内部には、開口部３３に連通した風路部６４が設けられている。この風路部６４は、開口部３３からケース部５の内部に上方に延設され、前側に屈曲して電動送風機３の下部であるこの電動送風機３の吸込側に連通している。このため、ホース部５４、集塵カップ１４、プリーツフィルタ５６、メッシュフィルタ５３、貫通孔５１および風路部６４により、吸込口３５から電動送風機３の吸込側に至る吸込風路６５が形成されている。
【００３３】
さらに、ケース部５の内部の電動送風機３の後側には、電動送風機３の排気側に連通する排気風路６６が形成されている。この排気風路６６は、ケース部５の両側部に貫通して設けられた複数の排気孔６７に連通し、電動送風機３を通過して排気風となった空気を排気孔６７から掃除機本体２の外部に排気する。
【００３４】
次に、上記一実施の形態の動作を説明する。
【００３５】
まず、掃除機本体２のケース部５に対してハンドル体１５が折り曲げられた図４に示す収納状態から、図５に示す使用状態にする場合には、ケース部５に対してハンドル体１５を上方に向けて回動させて、このハンドル体１５のクランプ部２１をケース部５のクランプ受部２２に係合させ、このハンドル体１５をケース部５の上方に向けて突出させる。
【００３６】
次いで、掃除機本体２のモータケース部４のコード口１１から突出したコード６のプラグ部８を引き、このモータケース部４内のコードリール部７を回転させ、このモータケース部４のコード口１１からコード６を引き出した後、このコード６のプラグ部８を、掃除箇所に近接した壁面などに設けられたコンセント部に接続する。
【００３７】
この状態で、ハンドル体１５の手許操作部２５を握り、このハンドル体１５の操作スイッチ２６を押して、モータケース部４内の電動送風機３を駆動させるとともに、床ブラシ３２の回転清掃体を回転駆動させる。
【００３８】
すると、この電動送風機３の駆動で、床ブラシ３２の吸込口３５から外部の空気が吸い込まれるとともに、この空気とともに塵埃が吸い込まれる。よって、この床ブラシ３２の吸込口３５を掃除面としての床面に設置し、ハンドル体１５の手許操作部２５を握って床ブラシ３２を床面に沿って前後に移動させて、この床面を掃除する。
【００３９】
床ブラシ３２の吸込口３５から塵埃とともに吸い込まれた空気は吸込風となり、この吸込風は、ホース部５４を通過して集塵カップ１４のカップ本体５５内に吸い込まれる。
【００４０】
さらに、カップ本体５５内に吸い込まれた吸込風は、プリーツフィルタ５６にて塵埃が吸着されて捕集され、この分離された塵埃はカップ本体５５内に集塵される。
【００４１】
また、プリーツフィルタ５６にて捕集できなかった微細な塵埃すなわち細塵は、メッシュフィルタ５３により捕集される。
【００４２】
そして、吸込風は、貫通孔５１および風路部６４を通過して電動送風機３に吸い込まれて排気風となり、排気風路６６および排気孔６７を通って掃除機本体２の外部へと排気される。
【００４３】
一方、操作者が床ブラシ３２を前後させることで、走行輪３６が床面に接触して回転し、この走行輪３６の回転に伴いウォームギヤ４１が回転すると、ギヤ４３がこのウォームギヤ４１に従動回転し、このギヤ４３の回転により回転ギヤ４６が従動回転する。
【００４４】
この結果、突起４７がプリーツフィルタ５６の後側面上を、このプリーツフィルタ５６の湾曲に沿って前後に移動してこのプリーツフィルタ５６を叩くことでプリーツフィルタ５６が振動し、このプリーツフィルタ５６に付着した塵埃が除去されてカップ本体５５内に集塵される。
【００４５】
すなわち、走行輪３６の回転に連動して掃除手段４５がプリーツフィルタ５６に付着した塵埃を掃除し、プリーツフィルタ５６の目詰まりなどを防止する。
【００４６】
この後、掃除が終了などして、集塵カップ１４のカップ本体５５内に集塵された塵埃をこのカップ本体５５内から取り出す場合には、ハンドル体１５の操作スイッチ２６を押して、電動送風機３の駆動および床ブラシ３２の回転清掃体の回転を適宜停止させた後、カップボタン６３を押して集塵カップ１４を掃除機本体２から取り外して、このカップ本体５５を上下反対にするなどして、このカップ本体５５内に集塵された塵埃を取り出す。
【００４７】
そして、掃除機本体２に取り付けて再度使用する。
【００４８】
さらに、図５に示す使用状態から、図４に示す収納状態にする場合には、まず、掃除機本体２のモータケース部４のコード口１１から引き出したコード６のプラグ部８をコンセント部から引き抜く。
【００４９】
次いで、このモータケース部４のコード巻取ボタン１２を押して、このモータケース部４のコードリール部７を回転させ、このコードリール部７にて引き出したコード６を巻き取る。
【００５０】
この後、ハンドル体１５のクランプ操作ボタン２３を押して、このハンドル体１５のクランプ部２１の爪部２４によるケース部５のクランプ受部２２への係合を解除させた状態で、このハンドル体１５をケース部５の後側に向けて回動させて折り曲げる。
【００５１】
そして、掃除機本体２の取手部１３を把持して、この掃除機本体２を収容場所へと運んで収納する。
【００５２】
上述したように、上記一実施の形態では、掃除機本体２の走行に従い床面と接触して回転する走行輪３６の回転に連動して掃除手段４５がプリーツフィルタ５６を掃除する構成とした。
【００５３】
このため、掃除機本体２の移動に連動してプリーツフィルタを掃除する従来の場合と比較して、掃除機本体２の走行方向などに拘らず掃除機本体２の走行時に掃除手段４５が確実に動作し、プリーツフィルタ５６を容易かつ確実に掃除できる。
【００５４】
また、ウォームギヤ４１が掃除機本体２と床ブラシ３２との回動軸心に位置し、これら掃除機本体２および床ブラシ３２の回動軸になることにより、掃除機本体２を図２および図３に示すように床ブラシ３２に対して回動させた際でも、ウォームギヤ４１とギヤ４３および掃除手段４５の回転ギヤ４６とが互いにずれずに歯合しているため、掃除中の電気掃除機１の様々な動作に対しても掃除手段４５を確実に動作させることができる。
【００５５】
さらに、ウォームギヤ４１を用いることにより、比較的簡単な構成で掃除手段４５を確実に動作させることができる。
【００５６】
そして、ウォームギヤ４１を床ブラシ３２の後部、とくに吸込口３５の後部に設けることにより、掃除の際にウォームギヤ４１が塵埃の吸い込みを妨げないとともに、掃除機本体２と床ブラシ３２とが互いに干渉することなく回動可能になる。
【００５７】
また、掃除中でもプリーツフィルタ５６に付着した塵埃を掃除手段４５が常に除去しているので、プリーツフィルタ５６の目詰まりによる電動送風機３の吸込力の低下を防止し、電気掃除機１の吸込性能を確保できる。
【００５８】
さらに、掃除機本体２を走行させるだけでプリーツフィルタ５６を確実に掃除できるので、例えばプリーツフィルタ５６を取り外して洗うなどの手間を削減でき、操作者の手を汚すことなどをも防止できる。
【００５９】
そして、掃除手段４５は走行輪３６の回転に連動して動作するので、プリーツフィルタ５６を掃除するための電力などが必要なく、例えば掃除を終了した後などにでも掃除機本体２を走行させることでプリーツフィルタ５６を容易に掃除できる。
【００６０】
なお、上記一実施の形態において、掃除手段４５の構成は、例えばプリーツフィルタ５６の前側面に接触して回転するブラシなど、他の様々な構成が可能である。
【００６１】
また、ギヤなどを介して走行輪３６の回転をウォームギヤ４１に伝達する構成など、走行輪３６とウォームギヤ４１との回転数が互いに一致しない構成も可能である。
【００６２】
さらに、回転伝達手段としてウォームギヤ４１を用いたが、例えば複数のギヤを互いに歯合させて走行輪３６の回転を掃除手段４５に伝達する構成、あるいはプーリおよびベルトなどにて走行輪３６の回転を掃除手段４５に伝達する構成など、他の様々な構成が可能である。
【００６３】
そして、走行輪３６を設ける位置は、床ブラシ３２の後部でなくてもよい。
【００６４】
また、走行輪３６の回転軸は、掃除機本体２と床ブラシ３２との回動軸と同軸でなくともよい。
【００６５】
さらに、回転体は、床面に接触して掃除機本体２の走行に連動して回転するものであれば、走行輪３６でなくともよい。
【００６６】
そして、スティック型の電気掃除機に限らず、キャニスタ型の電気掃除機にも適用できる。
【００６７】
【発明の効果】
本発明によれば、掃除機本体の走行に従って回転する回転体の回転に、フィルタを掃除する掃除手段を連動させることで、掃除機本体の走行時に掃除手段が確実に動作し、フィルタを容易かつ確実に掃除できる。
【図面の簡単な説明】
【図１】本発明の一実施の形態の電気掃除機の一部を示す分解斜視図である。
【図２】同上電気掃除機を示す縦断面図である。
【図３】同上電気掃除機を示す縦断面図である。
【図４】同上電気掃除機の収納状態を示す斜視図である。
【図５】同上電気掃除機の使用状態を示す斜視図である。
【符号の説明】
１    電気掃除機
２    掃除機本体
３    電動送風機
３２    吸込口体としての床ブラシ
３６    回転体としての車輪である走行輪
４１    回転伝達手段としてのウォームギヤ
４５    掃除手段
５６    フィルタとしてのプリーツフィルタ
【図１】
2004351148.tif 000003
【図２】
2004351148.tif 000004
【図３】
2004351148.tif 000005
【図４】
2004351148.tif 000006
【図５】
2004351148.tif 000007